(57)【要約】【課題】重要顧客のように特定の加入者に対し所定の回線選択を可能にする交換機およびそのルーティング制御方法を提供。【解決手段】ディジタル交換機10は、制御装置16のメモリ22aに加入者クラスを加えた保持データを格納し、制御装置16で加入者からの入力データと保持データを基に加入者クラスを特定し、入力されたデータをキーでルート翻訳情報を検索し、得られたルート翻訳情報が加入者クラスに応じた選択を要するか否かの判定に応じて出方路と決定し、分配スイッチ回路網14に対して決定した出方路への接続を切替え制御する。【選択図】図１
2007082100.tif 000002
【特許請求の範囲】
【請求項１】
加入者から入力された通信相手先を示す着番号を基に該通信相手先への出方路を求め、該通信相手先を呼び出し、前記加入者の端末と前記通信相手先の端末を接続し、通信させる交換機において、該交換機は、
前記出方路を制御する制御手段と、
該交換機における入出力を前記制御手段の制御に応じて切り替える分配手段とを含み、
前記制御手段は、前記加入者毎に保持するデータに該加入者の優先度に応じた第１のクラス情報を加え、前記加入者毎に保持データとして保持する格納手段を含み、
前記制御手段は、さらに、前記加入者から入力されたデータと前記格納手段の前記保持データを基に第１のクラス情報を特定し、前記入力されたデータをキーとしてルート情報を検索し、検索により得られた前記ルート情報が第１のクラス情報に応じた選択を要するか否かを判定し、前記出方路と決定し、前記分配手段に対して決定した出方路への接続を切替制御することを特徴とする交換機。
【請求項２】
請求項１に記載の装置において、前記格納手段は、第１のクラス情報の値に対応するクラス別の展開情報を第２のクラス情報として、第１および第２のクラス情報、ならびに前記出方路を表わす番号を関連付けたクラス別の情報と、
第２のクラス情報と該情報における選択要求の有無を示すフラグを含むルート情報とを前記加入者毎に保持データとして保持することを特徴とする交換機。
【請求項３】
請求項２に記載の装置において、前記制御手段は、さらに、前記加入者から入力されたデータと前記格納手段の前記保持データを基に第１のクラス情報を特定する特定処理機能ブロックと、
前記入力されたデータをキーに前記ルート情報を検索するルート検索機能ブロックと、
検索により得られた前記ルート情報に含まれる前記フラグの値を基に選択する方路のパターンを判定するパターン判定機能ブロックと、
前記パターンが第１のクラス情報毎の変更要求に応じて第２のクラス情報をキーにして前記クラス別の情報を検索する情報検索機能ブロックと、
該クラス別の情報に含まれる方路および従来の選択方路のいずれかを前記出方路と決定する出方路決定機能ブロックとを含むことを特徴とする交換機。
【請求項４】
加入者から入力された通信相手先を示す着番号を基に該通信相手先への出方路を求め、該通信相手先を呼び出し、前記加入者の端末と前記通信相手先の端末を接続し、通信させる交換機のルーティング制御方法において、該方法は、
前記加入者毎に保持する保持データに該加入者の優先度に応じた第１のクラス情報を加え、前記加入者毎に保持する保持データとしてあらかじめ用意され、
該方法は、前記加入者から入力されたデータと前記保持データを基に第１のクラス情報を特定し、前記入力されたデータをキーとしてルート情報を検索し、検索により得られた前記ルート情報が第１のクラス情報に応じた選択を要するか否かを判定し、前記出方路と決定し、該交換機における入出力を切り替えに際して決定した出方路への接続に切替制御することを特徴とする交換機のルーティング制御方法。
【請求項５】
請求項４に記載の方法において、前記保持データは、第１のクラス情報の値に対応するクラス別の展開情報を第２のクラス情報として、第１および第２のクラス情報、ならびに前記出方路を表わす番号を関連付けたクラス別の情報と、
第２のクラス情報と該情報における選択要求の有無を示すフラグを含むルート情報とを前記加入者毎に保持することを特徴とする交換機のルーティング制御方法。
【請求項６】
請求項５に記載の方法において、該方法は、前記加入者から入力されたデータと前記格納手段の前記保持データを基に第１のクラス情報を特定する第１の工程と、
前記入力されたデータをキーに前記ルート情報を検索する第２の工程と、
検索により得られた前記ルート情報に含まれる前記フラグの値を基に選択する方路のパターンを判定する第３の工程と、
前記パターンが第１のクラス情報毎の変更要求に応じて第２のクラス情報をキーにして前記クラス別の情報を検索する第４の工程と、
該クラス別の情報に含まれる方路および従来の選択方路のいずれかを前記出方路と決定する第５の工程とを含み、
前記交換機は、入出力を切り替える分配において決定した出方路に接続を切替制御し、前記出方路に設定することを特徴とする交換機のルーティング制御方法。
【発明の詳細な説明】
【技術分野】
【０００１】
本発明は、交換機およびそのルーティング制御方法に関するものである。本発明の交換機は、とくに、IP（Internet Protocol）電話機やパーソナルコンピュータ等の端末装置からの着信先へのルートを指定するディジタル交換機や中継装置等に関するものである。また、本発明の交換機のルーティング制御方法は、たとえばIP電話機やパーソナルコンピュータ等の端末装置を発信元とし、着信先への適切なルートを選択し、この選択に応じた出方路に切替制御するルート指定方法に関するものである。
【背景技術】
【０００２】
一般に、交換機はルーティング機能を有する。交換機は、加入者よりダイヤルされた着番号等により使用する経路を求め、求めた経路に対応するPOI（Point Of Interface）を使用して呼接続する。ルーティング機能とは、着番号を展開して出方路を求める機能である。
【０００３】
この手順を簡単に説明する。まず、加入者は、電話機を介して相手番号をダイヤルし、加入者収容交換機に出力する。
【０００４】
加入者収容交換機は相手番号を受信し、１桁目が２〜９の場合、市内電話と判断する。この場合、加入者収容交換機は同一交換機が管理する範囲内の加入者または同じ発信エリアの加入者収容交換機への経路を選択する。
【０００５】
また、加入者収容交換機は、相手番号の１桁目が０の場合、市外電話と判断する。加入者収容交換機は中継交換機への経路を選択する。
【０００６】
なお、加入者収容交換機は、１桁目が０でも、着番号の市外局番部分が発信エリアの局番の場合は市内電話と判断し、中継交換機への経路は選択しない。
【０００７】
さらに、加入者収容交換機は初めの電話番号がOAOの場合、移動体事業者へ接続し、00XYの場合は中継事業者へ接続する。
【０００８】
次に従来の着番号による方路の決定について説明する。この決定にはルーティング方式でルート翻訳情報を使用する。ルート翻訳情報は、着電番（着信電話番号）と経路を表す方路番号との対応を表した情報である。加入者収容交換機のそれぞれはこの情報を所データとして持つ。一台の加入者収容交換機は、複数のPOIを有するエリアにおける加入者を収容させる場合、着信先の加入者が収容される総合通信事業者網に一番近い方路が求められるようにルート翻訳情報を設定する。
【０００９】
次に上述した着番号から出方路を求める際にルート翻訳情報として非特許文献１に示すようなルート翻訳データが使われる。このルート翻訳データはテーブル構造を有する。ここでは、説明を簡単にするために、４桁のダイヤル番号を翻訳して、方路番号を求める動作を説明する。ルート翻訳テーブルは、ダイヤルされた番号に対応して方路番号が定義され、たとえば「0011」とダイヤルされるとこのダイヤルに対する方路番号は「1」が設定される。
【００１０】
また、方路番号の特定は、常に４桁の番号で特定される訳ではなく、たとえば「111」のように３桁の番号だけで方路番号が特定できる場合がある。この場合、４桁目にはすでに特定できたことを示す識別番号が記憶されている。したがって、３桁目までを翻訳した時点で、方路番号は「2」と特定される。この例では、すでに特定できたことを示す識別番号は「99」とする。しかしながら、識別番号は、すでに特定できたことを識別することができれば任意の値で構わないし、なくても良い。
【００１１】
【非特許文献１】遠藤文敏、「電話の仕組み(3)番号をカギに電話の接続先を決める「ルーティング」」、NTT東日本、http//itpro.nikkeibp.co.jp/free/NCC/denwa/20031215/2/、2005年６月13日検索。
【発明の開示】
【発明が解決しようとする課題】
【００１２】
ところで、IP（Internet Protocol）網は複数の事業者が管理している。IP網には信頼度が高いネットワークと低いネットワークが存在する。すなわち、事業者によっては回線品質が悪かったり、事故発生頻度が高かったりする。このため重要顧客に対して信頼を損ねてしまう可能性がある。
【００１３】
しかしながら、前述したルーティング選択方法では着番号に対応した方路選択となってしまう。このため、どの加入者も同一の方路、すなわち同じネットワークにルーティングさせることしかできない。現状ではこのように加入者は個々に、優先度付けした方路を選択できない問題がある。
【００１４】
本発明はこのような従来技術の欠点を解消し、重要顧客のように特定の加入者に対し所定の回線選択を可能にする交換機およびそのルーティング制御方法を提供することを目的とする。
【課題を解決するための手段】
【００１５】
本発明は上述の課題を解決するために、加入者から入力された通信相手先を示す着番号を基にこの通信相手先への出方路を求め、この通信相手先を呼び出し、加入者の端末と通信相手先の端末を接続し、通信させる交換機において、この交換機は、出方路を制御する制御手段と、この交換機における入出力を制御手段の制御に応じて切り替える分配手段とを含み、制御手段は、加入者毎に保持するデータにこの加入者の優先度に応じた第１のクラス情報を加え、加入者毎に保持データとして保持する格納手段を含み、制御手段は、さらに、加入者から入力されたデータと格納手段の保持データを基に第１のクラス情報を特定し、入力されたデータをキーとしてルート情報を検索し、検索により得られたルート情報が第１のクラス情報に応じた選択を要するか否かを判定し、出方路と決定し、分配手段に対して決定した出方路への接続を切替え制御することを特徴とする。
【００１６】
本発明の交換機は、格納手段に第１のクラス情報を加えた保持データを格納し、制御手段で加入者からの入力データと保持データを基に第１のクラス情報を特定し、入力されたデータをキーでルート情報を検索し、得られたルート情報が第１のクラス情報に応じた選択を要するか否かの判定に応じて出方路と決定し、分配手段に対して決定した出方路への接続を切替制御することにより加入者毎に任意な方路の選択が可能になる。
【００１７】
また、本発明は上述の課題を解決するために、加入者から入力された通信相手先を示す着番号を基にこの通信相手先への出方路を求め、この通信相手先を呼び出し、加入者の端末と通信相手先の端末を接続し、通信させる交換機のルーティング制御方法において、この方法は、加入者毎に保持する保持データにこの加入者の優先度に応じた第１のクラス情報を加え、加入者毎に保持する保持データとしてあらかじめ用意され、この方法は、加入者から入力されたデータと保持データを基に第１のクラス情報を特定し、入力されたデータをキーとしてルート情報を検索し、検索により得られたルート情報が第１のクラス情報に応じた選択を要するか否かを判定し、出方路と決定し、この交換機における入出力を切り替えに際して決定した出方路への接続に切替制御することを特徴とする。
【００１８】
本発明の交換機のルーティング制御方法は、第１のクラス情報を加えた保持データを用い、加入者からの入力データと保持データを基に第１のクラス情報を特定し、入力されたデータをキーでルート情報を検索し、得られたルート情報が第１のクラス情報に応じた選択を要するか否かの判定に応じて出方路と決定し、分配手段に対して決定した出方路への接続を切替制御することにより加入者毎に任意な方路の選択を可能にする。
【発明を実施するための最良の形態】
【００１９】
次に添付図面を参照して本発明による交換機の一実施例を詳細に説明する。
【００２０】
本実施例は、本発明の交換機をディジタル交換機10に適用した場合である。本発明と直接関係のない部分について図示および説明を省略する。以下の説明で、信号はその現れる接続線の参照番号で指示する。
【００２１】
ディジタル交換機10は、図１に示すように、集線スイッチ回路網12、分配スイッチ回路網14、制御装置16および信号装置18を含む。図１のディジタル交換機10は、電話機等の端末装置からの加入者線20を接続することから、加入者線交換機（LS: Local Switch）を示すものである。集線スイッチ回路網12および分配スイッチ回路網14は、集線段と分配段とに対応し、これら２つの構成要素で通話路スイッチとして機能させる。集線スイッチ回路網12は、電話機やFAX（Facsimile）等の端末装置からn本の加入者線をm本に絞り込む集線機能を有する。端子数nと同時接続可能な回線数mの比を集線比という。分配スイッチ回路網14は、入力されるm本の信号線を他の局、すなわちルート制御に応じて指定の方路にある中継局へ出力する機能を有する。
【００２２】
本実施例の制御装置16はメモリ22aを含む。制御装置16は、監視信号や交換等を指摘する選択信号の情報を翻訳し、翻訳した情報の分析結果を基に被呼者の識別や出線選択、必要選択信号等の情報送出および通話路形成の動作指示等を行なう機能を有する。また、制御装置16は、ディジタル交換機10の制御手順を記憶するソフトウェアまたはプログラムとして、特定処理機能部22b、ルート検索機能部22c、パターン判定機能部22d、情報検索機能部22eおよび出方路決定機能部22fを含む。メモリ22aには、図２に示すように、通常、加入者毎に加入者および契約者番号を個人のプロファイルデータとして有するとともに、この個人のプロファイルデータに優先度や重要度を示す加入者クラス（情報）も書き込まれる。
【００２３】
図１に戻って、特定処理機能部22bは、メモリ22aが有する加入者と発信者から被呼者とを比較し、発加入者の加入者クラスを特定する機能を有する。特定処理機能部22bはこの特定により得られた加入者クラスをルート検索機能部22cに供給する。
【００２４】
ルート検索機能部22cは、供給される着電番をキーとして後述するルート翻訳情報を検索する機能を有する。ルート検索機能部22cは、検索により得られた情報が含む接続パターンを示す値をパターン判定機能部22dに供給する。
【００２５】
パターン判定機能部22dは、供給される値を基に接続パターンがどのようなパターンか判定する機能を有する。パターン判定機能部22dは、接続パターンを示す値を情報検索機能部22eに供給する。
【００２６】
情報検索機能部22eは供給される接続パターンの値が加入者クラスを意識したルート検索に対応し、さらにこの加入者クラスに対応したクラス別翻訳情報を検索する機能を有する。この検索により得られたクラス別翻訳情報が出方路決定機能部22fに供給される。
【００２７】
出方路決定機能部22fは、クラス別翻訳情報または従来の接続パターンに対応して設定する出方路を決定する機能を有する。このようにして決定した出方路を切替信号として分配スイッチ回路網14に出力する。分配スイッチ回路網14は、切替信号に対応した出方路に切り替えるように通信接続する。
【００２８】
上述したように加入者と被呼者との比較が一致した際に加入者が有する加入者クラスで被呼者を呼び出し、通信するように選択することが実現される。
【００２９】
なお、プロファイルデータは、メモリ22aに限定されるものでなく、制御装置16の外部に配設されたストレージ24に格納するようにしてもよい。制御装置16は、交換に際して、ストレージ24にアクセスして、被呼者の契約者番号および加入者クラスの情報を読み出し、交換制御してもよい。
【００３０】
信号装置18は、他のディジタル交換機との間で選択信号等を送受信する機能を有する。
【００３１】
次に加入者クラスを用いたルーティング方式について図３および図４を用いて簡単に説明する。ここでは、異なる加入者クラスの発信者から特定の加入者ヘルーティングする場合および従来の着電番を用いて加入者へルーティングする場合がある。前者のルーティングをパターンA、後者のルーティングをパターンBとする。
【００３２】
図３に示すように、パターンAは、たとえば加入者Aの電話機28に対して契約者電話番号および加入者クラス１がディジタル交換機10に設定され、加入者Bの電話機30に対して契約者電話番号および加入者クラス２がディジタル交換機10に設定される。この場合、特定の加入者Cの電話機32ヘルーティングするとき、ディジタル交換機10は、着番号に対応した着信先が加入者クラスを意識して方路選択する必要の有る接続先の場合、加入者A、すなわち電話機28からの通信を通す方路に破線の経路を経る方路34を選び、さらに事業者36を経由して着信させる。
【００３３】
また、ディジタル交換機10は、加入者B、すなわち電話機30からの通信を通す方路に一点鎖線の経路を経る方路38を選び、さらに事業者40を経由して着信させる。パターンBは、着番号に対応した着信先が加入考クラスを意識して方路選択する必要の無い接続先の場合に対応し、加入者に付与した加入者クラスに関係なくルーティングする。パターンAのように加入者クラスを意識した方路には、たとえば方路42、事業者44を介して着信させるパターンCの場合もある。
【００３４】
ディジタル交換機10にこのような方路の選択を加入者毎に実現させる上でこれまで加入者毎に保持していたプロファイルデータに加入者クラスを表す情報要素を追加する。加入者クラスは、たとえば１から10の10段階での設定を可能にする。この設定数はシステムの規模によって変えてもよい。
【００３５】
なお、加入者クラス１についてはデフォルト設定の扱いとする。ディジタル交換機10は、他のベンダからの入呼等、発加入者クラスが特定できない場合においても、この加入者クラス１を対応させるとよい。
【００３６】
加入者プロファイルデータは、図４に示すように、加入者クラス46をクラス別翻訳情報48内に介在させることによりクラス別翻訳情報48との関連付けを可能にする。クラス別翻訳情報48は、クラス別展開番号50、加入者クラス46および方路番号52等を有し、それぞれの項目に対し番号化した情報を持つことになる。このように各項目に関係付けて情報を持つことにより、加入者クラス46の番号は対応する方路との関係を表わす情報として扱うことができる。
【００３７】
さらに、加入者それぞれに対する加入者クラス46は、上述したように、この他の情報に対するインデックスとしてそれぞれのクラス別展開番号50を持つ。これにより、加入者クラス46およびこのクラス別展開番号50のいずれか一方を指定することにより対応する方路を得ることができる。
【００３８】
この方路には着電番および加入者クラス46によって決められた接続先に対応する方路の値を設定する。また、方路を決定する際に使うクラス別展開番号50はルート翻訳情報54内にも設定する。このようにクラス別展開情報50をクラス別翻訳情報48とルート翻訳情報54との共通情報として扱い、両者の情報を互いに関連付けることが可能になる。たとえば着電番とクラス別翻訳情報48との対応を取ることが可能となるだけでなく、加入者クラス、これに対応する方路および同じ着電番、すなわち接続先への発信を関連付けることができる。これにより、ルート翻訳情報54のレコード数を増やすことなく、加入者クラス46によって選択する方路を変えることが可能になる。このクラス別翻訳情報48をディジタル交換機毎に新たな所データとして持つ。
【００３９】
上述したルート翻訳情報54には、番号翻訳を行なう際に用いる情報要素に、クラス別展開番号50およびクラス別展開フラグ56を加える。クラス別展開フラグ56は該当の着電番が加入者クラス46毎に接続先を選択する必要があるか否かの判断を可能にする情報である。ルーティング時にはクラス別展開フラグ56を参照する。このルーティング時の参照は、加入者クラス46によって接続先の選択がパターンA方式および着電番により出方路を求めるパターンB方式のいずれかの判断を可能にする。このルート翻訳情報54をディジタル交換機毎に所データとして持つ。
【００４０】
次にこのようにメモリ22aに格納された加入者クラス46、クラス別展開番号50を用いて制御装置16に内蔵するソフトウェアによりルーティングを選択し、決定する手順について図５を参照しながら説明する。
【００４１】
ディジタル交換機10におけるルーティングは、加入者毎に保持するメモリ22aの保持データにこの加入者の優先度に応じた加入者クラス46を加えておき、加入者から入力されたデータとメモリ22aの保持データを基に加入者クラス46を特定し、入力された着電番をデータキーとしてルート翻訳情報56を検索し、検索により得られたルート翻訳情報56が加入者クラス46に応じた選択を要するか否かを判定し、出方路と決定し、図１に示すディジタル交換機10における分配スイッチ回路網14に対して決定した出方路に接続を切替制御する。
【００４２】
この制御におけるルーティングの選択について図５を参照して、より具体的に説明する。まず、ディジタル交換機10は、前位局からの入力IAM（Initial Address Message）上またはプロファイルデータとして管理している発加入者の持つ情報内の加入者クラスを基に発加入者のクラスを特定する（ステップS10）。
【００４３】
次に着電番をキーにして、ルート翻訳情報54を検索する（ステップS12）。このとき検索により得られたルート翻訳情報54に新たに付与した加入者に対するクラス別展開フラグ56でクラス別展開情報の有無も判定する（ステップS14）。ここで、クラス別展開フラグ56が加入者クラス毎に使用する方路、POI（Point Of Interface）を変える必要がないパターン、たとえば従来と同じパターンBの場合（YES）、出方路の決定に進む（ステップS16へ）。また、クラス別展開フラグ56が加入者クラス毎に使用する方路、POIを変える必要があるパターン、たとえばパターンAの場合（YES）、クラス別翻訳情報の参照、検索に進む（ステップS18へ）。
【００４４】
次に判定が発加入者の加入者クラスによってPOIを変える必要のないパターンBの場合、ルート翻訳情報56の参照・検索で得られた方路に対応するPOIを使用することを決定する（ステップS16）。ディジタル交換機10は、この決定に応じた出方路に接続する。着電番だけを使用したルーティングとなる。
【００４５】
また、判定が発加入者の加入者クラスによってPOIを変える必要のあるパターンAの場合、特定した発加入者のクラスとルート翻訳情報54で得られた加入者のクラス別展開番号50とをキーにクラス別翻訳情報48を検索する（ステップS18）。この検索により得られた方路を出方路と決定する（ステップS20）。ディジタル交換機10は、この決定に対応するPOIを使用して出方路に接続する。ここで使用したPOIは発加入者のクラスに対応して決定されたPOIとなる。出方路を決定し、接続した後、ルーティング決定処理を終了する。
【００４６】
以上のように、加入者の優先度を有する加入者クラスを設けることにより重要顧客など特定の加入者に対して回線品質の良い通話路が確保されるサービスが提供することができる。事業者は顧客にそのようなサービスを提供することにより、他の事業者との差別化を図ることができる。ディジタル交換機のルーティング方式としては、既存の接続先事業者毎の回線品質はあまり変わらなかったが、IP（Internet Protocol）網では接続先事業者によって通話品質が異なることがあるから、このような網に対して大きな効果を発揮する。
【図面の簡単な説明】
【００４７】
【図１】本発明に係る交換機を適用したディジタル交換機の概略的な構成を示すブロック図である。
【図２】図１のディジタル交換機で用いる加入者プロファイルデータの概念を説明する図である。
【図３】図１のディジタル交換機による加入者の対応の方路選択を説明する原理図である。
【図４】図１のディジタル交換機にて使用するルート翻訳情報、クラス別翻訳情報および所データの対応を説明する図である。
【図５】図１のディジタル交換機によるルーティングの決定手順を説明するフローチャートである。
【符号の説明】
【００４８】
10  ディジタル交換機
12  集線スイッチ回路網
14  分配スイッチ回路網
16  制御装置
18  信号装置
22a  メモリ
22b  特定処理機能部
22c  ルート検索機能部
22d  パターン判定機能部
22e  情報検索機能部
22f  出方路決定機能部
【図１】
2007082100.tif 000003
【図２】
2007082100.tif 000004
【図３】
2007082100.tif 000005
【図４】
2007082100.tif 000006
【図５】
2007082100.tif 000007